【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
複数の無線周波数識別（ＲＦＩＤ）タグリーダを備えるシステムを使用してＲＦＩＤタグの位置を特定する方法であって、
前記複数のＲＦＩＤタグリーダの少なくとも１つは、ＲＦ信号強度、アンテナの利得、アンテナの偏波、およびアンテナの向きから選択される少なくとも１つの調整可能な構成設定と、ネットワークを介して前記複数のＲＦＩＤタグリーダと信号通信するコンピュータと、前記コンピュータに関連付けられるメモリであって、空間での物理的位置に関連付けられる複数のエンドポイントを保存するメモリと、前記コンピュータ上に記憶され、前記コンピュータによって動作可能なソフトウェアモジュールと、を備え、前記方法が
前記複数のエンドポイントのうちの第１のエンドポイントで、各ＲＦＩＤタグリーダの調整可能な構成設定に重み付けを割り当てることと、
時間インターバルの間、各設定用のＲＦＩＤタグリーダのデータ収集し、前記割り当てられた設定重み付けを適用して各ＲＦＩＤタグリーダの結果を計算することと、
各ＲＦＩＤタグリーダ毎に計算された結果を集計して前記第１のエンドポイント用の集計結果を判断することと、
前記第１のエンドポイント用の集計結果を少なくとも１つのしきい値またはしきい値インターバルと比較して、前記ＲＦＩＤタグが前記第１のエンドポイントに位置しているかを判断することと、
を有する、ＲＦＩＤタグの位置を特定する方法。
【請求項２】
複数の無線周波数識別（ＲＦＩＤ）タグリーダを備えるシステムを使用してＲＦＩＤタグの位置を特定する方法であって、
前記複数のＲＦＩＤタグリーダの少なくとも１つは、ＲＦ信号強度、アンテナの利得、アンテナの偏波、およびアンテナの向きから選択される少なくとも１つの調整可能な構成設定と、ネットワークを介して前記複数のＲＦＩＤタグリーダと信号通信するコンピュータと、前記コンピュータに関連付けられるメモリであって、空間での物理的位置に関連付けられる複数のエンドポイントを保存するメモリと、前記コンピュータ上に記憶され、前記コンピュータによって動作可能なソフトウェアモジュールと、を備え、前記方法が
前記複数のエンドポイントのうちの第１のエンドポイントに関連付けられる少なくとも第１グループの中に前記複数のＲＦＩＤタグリーダを形成し、ＲＦＩＤタグリーダの前記第１グループの前記調整可能な構成設定にグループ設定重み付けを割り当てることと、
時間インターバルの間、各グループ設定用のＲＦＩＤタグリーダの前記第１グループの内で各ＲＦＩＤタグリーダ用のデータ収集し、各グループ設定用の集計結果を計算することと、
前記割り当てられたグループ設定重み付けを、各グループ設定毎に計算された集計結果に適用して前記第１のエンドポイント用の結果を計算することと、
前記第１のエンドポイント用の結果を少なくとも１つのしきい値またはしきい値インターバルと比較して、前記ＲＦＩＤタグが前記第１のエンドポイントに位置しているかを判断することと、
を有する、ＲＦＩＤタグの位置を特定する方法。
【請求項３】
前記ソフトウェアモジュールは、前記ＲＦＩＤタグリーダ用の設定グループからの蓄積された読み取り因子に基づく階層的しきい値制限計算を使用してタグの位置特定をするように構成されている、請求項１又は２に記載の方法。
【請求項４】
前記ソフトウェアモジュールは、ＲＦＩＤタグリーダ用の設定グループからの蓄積された確率に基づく確率的しきい値計算を使用してタグの位置特定をするように構成されている、請求項１又は２に記載の方法。
【請求項５】
複数の位置ベースのエンドポイントと、ネットワークを介して複数の無線周波数識別（ＲＦＩＤ）タグリーダと信号通信するコンピュータと、前記コンピュータ上に記憶され、前記コンピュータによって動作可能なソフトウェアモジュールに関連付けられる前記複数のＲＦＩＤタグリーダと、を備えたシステムを使用して、ＲＦＩＤタグの位置を特定する方法であって、
前記複数のエンドポイントのうちの第１のエンドポイントに関連付けられる前記複数のＲＦＩＤタグリーダから読み取られたタグを収集し、特定の数のＲＦＩＤタグリーダの各々が、特定の時間内に前記タグを読み取ったと判断されるとき、前記ＲＦＩＤタグが前記第１のエンドポイントに存在すると判断する、ＲＦＩＤタグの位置を特定する方法。
【請求項６】
複数の無線周波数識別（ＲＦＩＤ）タグリーダと、ネットワークを介して前記複数のＲＦＩＤタグリーダと信号通信するコンピュータと、前記コンピュータに関連付けられるメモリであって、複数のエンドポイントを保存するメモリと、前記コンピュータ上に記憶され、前記コンピュータによって動作可能なソフトウェアモジュールと、を備えたシステムを使用して、移動のセマンティック属性を決定する方法であって、
第１の時間値でＲＦＩＤタグリーダからの情報に基づいた第１のエンドポイントでＲＦＩＤタグをマッピングすることと、
第２の時間値でＲＦＩＤタグリーダからの情報に基づいた第２のエンドポイントでＲＦＩＤタグをマッピングすることと、
前記マッピングシーケンスに基づいた移動のセマンティック属性を決定することと、
を有する、移動のセマンティック属性を決定する方法。
【請求項７】
複数の無線周波数識別（ＲＦＩＤ）タグリーダと、ネットワークを介して前記複数のＲＦＩＤタグリーダと信号通信するコンピュータと、複数の位置ベースのエンドポイントと、前記コンピュータ上に記憶され、前記コンピュータによって動作可能なソフトウェアモジュールと、を備えるシステムを使用して、散在するＲＦＩＤタグ読取りを削減する方法であって、
前記複数のエンドポイントのうちの第１のエンドポイントにタグの位置を特定することと、
前記タグが存在すると判断された前記エンドポイントから特定範囲の外側に存在するエンドポイント用のタグリーダによって前記タグが読み取られたことを示す、過去に保存されたデータを無効として扱うことと
を有する、散在するＲＦＩＤタグ読取りを削減する方法。
【請求項８】
無線周波数識別システムを使用してＲＦ干渉を削減する方法であって、前記システムが、複数の無線周波数識別（ＲＦＩＤ）タグリーダと、複数の位置ベースのエンドポイントであって、前記エンドポイントの各々は１つ以上の無線周波数識別（ＲＦＩＤ）アンテナに関連付けられているエンドポイントと、ネットワークを介して前記複数のＲＦＩＤタグリーダと信号通信するコンピュータと、前記コンピュータ上に記憶され、前記コンピュータによって動作可能なソフトウェアモジュールと、を備え、前記方法が
前記複数のエンドポイントのうちの第１のエンドポイントにタグの位置を特定することと、
前記タグが存在すると判断された前記エンドポイントから特定範囲の外側に存在するエンドポイントに関連付けされた当該アンテナ用の同一タグの読み取りを非アクティブまたは無効にすることと
を有する、ＲＦ干渉を削減する方法。
【請求項９】
無線周波数識別システムを使用してＲＦ干渉を削減する方法であって、前記システムが、複数の無線周波数識別（ＲＦＩＤ）タグリーダと、複数の位置ベースのエンドポイントであって、前記エンドポイントの各々は１つ以上の無線周波数識別（ＲＦＩＤ）アンテナに関連付けられているエンドポイントと、ネットワークを介して前記複数のＲＦＩＤタグリーダと信号通信するコンピュータと、前記コンピュータ上に記憶され、前記コンピュータによって動作可能なソフトウェアモジュールと、を備え、前記方法が
前記複数のエンドポイントのうちの第１のエンドポイントにタグの位置を特定することと、
前記タグが存在すると判断された前記エンドポイントから特定範囲内のエンドポイントに関連付けされた当該アンテナ用のみの同一タグの読み取りをアクティブまたは有効にすることと
を有する、ＲＦ干渉を削減する方法。
【請求項１０】
少なくとも１つのＲＦＩＤリーダは、ＲＦ信号強度、アンテナの利得、アンテナの偏波、およびアンテナの向きから選択される少なくとも１つの調整可能な構成設定を備え、前記少なくとも１つの構成設定とエンドポイントにあるＲＦＩＤタグの前記位置特定との間には少なくとも１つの関連規則がある、請求項５から９のいずれかに記載の方法。
【請求項１１】
ＲＦＩＤタグの位置特定を行うネットワーク化された無線周波数識別システムであって、
複数の無線周波数識別（ＲＦＩＤ）タグリーダと、
ネットワークを介して前記複数のＲＦＩＤタグリーダと信号通信するコンピュータと、
前記コンピュータに関連付けられるメモリであって、空間での物理的位置に関連付けられる複数のエンドポイントを保存するメモリと、
前記コンピュータ上に記憶され当該コンピュータによって動作可能なソフトウェアモジュールと、を備え、
前記ソフトウェアモジュールは、前記複数のエンドポイントのうちの第１のエンドポイントに関連付けられる前記複数のＲＦＩＤタグリーダのうちの特定の数のＲＦＩＤタグリーダによって前記タグが読み取られたと前記コンピュータが判断し、さらに、前記定数の数のＲＦＩＤタグリーダの各々が、特定の時間内に前記タグを読み取ったと判断されるとき、前記ＲＦＩＤタグが前記複数のエンドポイントのうち前記第１のエンドポイントに存在すると前記コンピュータに判断させるプログラミング命令を含む、無線周波数識別システム。
【請求項１２】
ＲＦＩＤタグの位置特定をエンドポイントで行うネットワーク化された無線周波数識別システムであって、
複数の無線周波数識別（ＲＦＩＤ）タグリーダであって、ＲＦＩＤタグリーダの各々は、ＲＦ信号強度、アンテナの利得、アンテナの偏波、およびアンテナの向きから選択される少なくとも１つの調整可能な設定を含み、各ＲＦＩＤタグリーダは無線周波数（ＲＦ）質問機を有する、複数の無線周波数識別（ＲＦＩＤ）タグリーダと、
ネットワークを介して前記複数のＲＦＩＤタグリーダと信号通信するコンピュータと、
階層的しきい値制限計算を使用して、前記ＲＦＩＤタグリーダから受信される情報に基づいてＲＦＩＤタグの位置特定を行うコンピュータ上に記憶され、前記コンピュータによって動作可能なソフトウェアモジュールと、
を備える無線周波数識別システム。
【請求項１３】
前記階層的しきい値制限計算は、ＲＦＩＤタグリーダ用の設定グループからの蓄積された読み取り因子に基づく、請求項１２に記載のシステム。
【請求項１４】
前記ＲＦＩＤタグリーダのグループはグループ設定を有するように構成可能であり、前記階層的しきい値制限計算は、ＲＦＩＤタグリーダのグループの設定からの蓄積された読み取り因子に基づく、請求項１２に記載のシステム。
【請求項１５】
ＲＦＩＤタグの位置特定をエンドポイントで行うネットワーク化された無線周波数識別システムであって、
複数の無線周波数識別（ＲＦＩＤ）タグリーダであって、ＲＦＩＤタグリーダの各々は、ＲＦ信号強度、アンテナの利得、アンテナの偏波、およびアンテナの向きから選択される少なくとも１つの調整可能な設定を含み、各ＲＦＩＤタグリーダは無線周波数（ＲＦ）質問機を有する、複数の無線周波数識別（ＲＦＩＤ）タグリーダと、
ネットワークを介して前記複数のＲＦＩＤタグリーダと信号通信するコンピュータと、
確率的しきい値計算を使用して、前記ＲＦＩＤタグリーダから受信される情報に基づいてＲＦＩＤタグの位置特定を行うコンピュータ上に記憶され、前記コンピュータによって動作可能なソフトウェアモジュールと、
を備える無線周波数識別システム。
【請求項１６】
前記確率的しきい値計算は、ＲＦＩＤタグリーダ用の設定のグループからの蓄積された確率に基づく、請求項１５に記載のシステム。
【請求項１７】
前記ＲＦＩＤタグリーダのグループはグループ設定を有するように構成可能であり、前記確率的しきい値計算は、ＲＦＩＤタグリーダのグループの設定からの蓄積された確率に基づく、請求項１５に記載のシステム。
【請求項１８】
無線周波数識別（ＲＦＩＤ）タグの位置特定を行う無線周波数識別システムであって、前記システムが、
複数の無線周波数識別（ＲＦＩＤ）タグリーダと、
ネットワークを介して前記複数のＲＦＩＤタグリーダと信号通信するコンピュータと、
前記コンピュータに関連付けられるメモリであって、複数のエンドポイントと前記複数のエンドポイント間の有向リンクを有するネットワークモデルを保存し、前記複数のエンドポイントは空間での物理的位置に関連付けられていて、前記エンドポイントの各々は自身に１つ以上の無線周波数識別（ＲＦＩＤ）タグリーダに関連付けされているメモリと、を備え、
前記コンピュータは、前記複数のＲＦＩＤタグリーダから受信したデータに基づいて前記ＲＦＩＤタグの位置を特定するソフトウェアモジュールを動作するように構成されている、無線周波数識別システム。
【請求項１９】
前記ソフトウェアモジュールはＲＦＩＤタグの移動のセマンティック属性を判断するように構成され、前記セマンティック属性は前記ネットワークモデルに関連付けられる、請求項１８に記載のシステム。
【請求項２０】
前記ソフトウェアモジュールはアクセス制御規則を適用するよう構成され、前記アクセス制御規則はネットワークモデルに関連付けられる、請求項１８に記載のシステム。
【請求項２１】
前記ネットワークモデルは更に少なくとも１つのロック装置に関連付けられ、前記コンピュータは前記アクセス制御規則に基づいて前記少なくとも１つのロック装置に信号を送信するよう構成されている、請求項２０に記載のシステム。
【請求項２２】
前記ソフトウェアモジュールは、前記コンピュータにより更に動作可能とされ、前記コンピュータに、前記タグが第１の時間に前記第１のエンドポイントに存在することを判断させ、１つ以上の前記タグリーダが前記タグの前記第２のエンドポイントにおける存在を検出するとき、前記タグが第２の時間に前記第２のエンドポイントに存在すると判断させ、ただし前記タグが前記第２エンドポイントに存在するという前記判断は、前記第１のエンドポイントから前記第２のエンドポイントまでの定められた通路があるときにのみ行われる、請求項１８に記載のシステム。
【請求項２３】
前記ソフトウェアモジュールは、前記コンピュータにより更に動作可能とされ、前記コンピュータに、前記複数のエンドポイントの第１のエンドポイントにタグが存在することを判断させ、さらに、前記第１のエンドポイントと前記第２のエンドポイントの間に通路がない場合、前記複数エンドポイントの第２のエンドポイントにあるタグリーダにより前記タグが読み取られたことを示す、過去に保存されたデータを無効として扱わせる、請求項１８に記載のシステム。
【請求項２４】
前記エンドポイントの各々は１つ以上の無線周波数識別（ＲＦＩＤ）アンテナに関連付けられ、前記ソフトウェアモジュールは、前記コンピュータにより更に動作可能とされ、前記コンピュータに、第１の時間に前記第１のエンドポイントにタグが存在することを判断させ、さらに、前記第１のエンドポイントと前記第２のエンドポイントの間に通路がない場合、前記複数エンドポイントの第２のエンドポイントに関連付けられた当該アンテナ用の同一タグの読み取りを非アクティブまたは無効にする、請求項１８に記載のシステム。
【請求項２５】
前記ソフトウェアモジュールは、前記コンピュータにより更に動作可能とされ、前記コンピュータに、前記複数のエンドポイントのうち第１のエンドポイントにタグが存在することを判断させ、さらに、前記タグが存在すると判断された前記エンドポイントから特定範囲の外側に存在するエンドポイント用のタグリーダにより前記タグが読み取られたことを示す、過去に保存されたデータを無効として扱わせる、請求項１８に記載のシステム。
【請求項２６】
前記エンドポイントの各々は１つ以上の無線周波数識別（ＲＦＩＤ）アンテナに関連付けられ、前記ソフトウェアモジュールは、前記コンピュータにより更に動作可能とされ、前記コンピュータに、第１の時間に前記第１のエンドポイントにタグが存在することを判断させ、さらに、前記タグが存在すると判断された前記エンドポイントから特定範囲の外側に存在するエンドポイントに関連付けされた当該アンテナ用の同一タグの読み取りを非アクティブまたは無効にする、請求項１８に記載のシステム。
【請求項２７】
前記エンドポイントの各々は１つ以上の無線周波数識別（ＲＦＩＤ）アンテナに関連付けられ、前記ソフトウェアモジュールは前記コンピュータにより更に動作可能とされ、前記複数エンドポイントの第１のエンドポイントにタグが存在すると判断し、更に、前記タグが存在すると判断された前記エンドポイントから特定範囲内にあるエンドポイントに関連付けされた当該アンテナ用の同一タグの読み取りをアクティブまたは有効にする、請求項１８に記載のシステム。
【請求項２８】
１つ以上のリンクは前記リンクを横断するＲＦＩＤタグ用の特定のコストに関連付けられていて、２つのエンドポイント間の通路用前記コストは前記通路を定める前記リンクの前記特定のコストから計算され、前記範囲はエンドポイント間の通路の前記コストに関連づけられる、請求項２５乃至２７のいずれか１項に記載のシステム。
【請求項２９】
前記リンク用の前記特定のコストは、動的に確立される、請求項２８に記載のシステム。
【請求項３０】
前記リンク用の前記特定のコストは、前記タグの前記移動に関連する履歴データに基づく、請求項２８に記載のシステム。
【請求項３１】
前記リンク用の前記特定のコストは、アクセス制御設定に関連する、請求項２８乃至３０のいずれか１項に記載のシステム。
【請求項３２】
前記ＲＦＩＤタグリーダのうちの少なくとも一のタグリーダは、ＲＦ信号強度、アンテナの利得、アンテナの偏波、およびアンテナの向きから選択される少なくとも１つの調整可能な構成設定を有し、前記少なくとも１つの構成設定とエンドポイントにあるＲＦＩＤタグの前記位置特定との間には少なくとも１つの関連規則がある、請求項１１、１８乃至３１のいずれか１項に記載のシステム。
【請求項３３】
前記ソフトウェアモジュールはプログラム命令を含み、前記プログラム命令は、コンピュータに、（１）前記タグリーダから受信される信号に基づいて、１つ以上のタグが前記複数エンドポイントの第１のエンドポイントに存在することを判断させ、（２）前記１つ以上のタグが存在すると判断される前記複数エンドポイントの１つ以上に前記１つ以上のタグを関連付けるデータベースを前記メモリに保存させるようにさせ、（３）前記１つ以上のタグが前記第１のエンドポイントにはもう存在しないと前記モジュールによって判断されると、前記データベースを更新させる、請求項１１乃至３２のいずれか１項に記載のシステム。
【請求項３４】
前記ソフトウェアモジュールは、前記第１のエンドポイントに前記タグの第１のタグが存在すると判断された第１の時間を更に判断し、前記メモリに当該第１の時間を保存し、前記ソフトウェアモジュールはさらに、前記第１の時間後定められた時間内に前記複数のエンドポイントの中のうち他のエンドポイントのいずれにも前記第１タグが存在しないと判断されると、前記第１タグを前記第１のエンドポイントに関連付けている前記データベースから前記第１のタグを除くように前記データベースを更新する、請求項３３に記載のシステム。
【請求項３５】
請求項２０記載のシステムを使用して、物理的位置ＥへのＲＦＩＤタグのアクセス権を決定する方法であって、
物理的位置Ｅに第１のエンドポイントをマッピングすることと、
ＲＦＩＤタグが少なくとも一のＲＦＩＤタグリーダからの情報に基づいた第２のエンドポイントに存在すると決定することと、
前記ＲＦＩＤタグが前記第２のエンドポイントに決定された存在に基づいて、第２のエンドポイントと第１のエンドポイントとの間の有向リンクを決定することと、
前記有向リンクに関連したアクセス制御規則に基づいた前記位置ＥへのＲＦＩＤタグのアクセスを決定すること
を含むＲＦＩＤタグのアクセス権を決定する方法。
【手続補正２】
【補正対象書類名】明細書
【補正対象項目名】００４０
【補正方法】変更
【補正の内容】
【００４０】
第１の例では、システムは、ＲＦ質問機用の設定のグループからの蓄積された読取り因子に基づいて、階層的しきい値制限計算を使用する。このアプローチでは、各質問機には割り当てられた設定／構成のコレクションがある。例えば、ＲＦｉには２つの設定を含む割り当てられたコレクションがあり、ＲＦｊには５つの設定を含むコレクションがあり、１つの設定は、送信されたＲＦ出力、アンテナ利得、アンテナの偏波、およびアンテナの向きなどのＲＦ質問機のパラメータのいずれかの値、またはパラメータの組み合わせの値によって定義されてもよいだろう。さらにＷｋ，ｌとして表されるＲＦ質問器の各設定に関連する重み付けもある。ここで、「ｋ」はＲＦ質問器に対するインデックスであり、「ｌ」は質問機の設定に対するインデックスである。エンドポイントＥｉについては、ＲＦＩＤタグを備えた対象がエンドポイントに位置しているかどうかの評価に使用されるしきい値またはインターバル（Ｔｖ）がある。しきい値またはインターバルは他の例でも使用されるが、特定の値またはインターバルは各例によって異なることがある。
【手続補正３】
【補正対象書類名】明細書
【補正対象項目名】００６５
【補正方法】変更
【補正の内容】
【００６５】
最終的な集計値は、Ａ＝（ＷＡ１＊Ａ１＋ＷＡ２＊Ａ２）／２＝（０．９＊０．１３＋０．８＊０．０７）／２〜０．０８７になる。この値は先に定義された、Ｅ１に割り当てられるしきい値Ｔｖ＝０．５０と比較される。この例では、しきい値に到達していない。つまり、対象はエンドポイントＥ１にないということになる。